(57)【要約】【課題】利用者を案内するために必要なデータ量を削減することを目的とする。【解決手段】端末装置２００は、利用者を案内する案内情報のうちの定型句を示す定型句情報の音響成分と、当該案内情報のうち定型句に挿入される相異なる挿入句を示す複数の挿入句情報から選択された挿入句情報の音響成分とを含む音響であって、案内情報を発音した案内音声とともに放音される音響を、収音装置により収音した収音信号Ｓ2から、定型句情報と挿入句情報とを抽出する抽出部と、定型句情報が示す定型句に挿入句情報が示す挿入句を挿入した案内情報に応じた提示情報を提示部により提示させる制御部２２４０とを具備する。【選択図】図１０
2020144372.tif 000002
【特許請求の範囲】
【請求項１】
利用者を案内する案内情報のうちの定型句を示す定型句情報の音響成分と、当該案内情報のうち前記定型句に挿入される相異なる挿入句を示す複数の挿入句情報から選択された挿入句情報の音響成分とを含む音響であって、前記案内情報を発音した案内音声とともに放音される音響を、収音装置により収音した収音信号から、前記定型句情報と前記挿入句情報とを抽出する抽出部、および、
前記定型句情報が示す前記定型句に前記挿入句情報が示す前記挿入句を挿入した前記案内情報に応じた提示情報を提示部により提示させる制御部
としてコンピュータを機能させるプログラム。
【請求項２】
前記抽出部は、
前記収音信号のうち第１周波数帯域の成分から前記定型句情報を抽出する第１抽出部と、
前記収音信号のうち前記第１周波数帯域とは異なる第２周波数帯域の成分から前記挿入句情報を抽出する第２抽出部と
を含む請求項１のプログラム。
【請求項３】
前記抽出部は、前記定型句情報を表す第１ビット列と前記挿入句情報を表す第２ビット列とを含むビット列である配信情報を前記収音信号から抽出する
請求項１のプログラム。
【請求項４】
端末装置が、
利用者を案内する案内情報のうちの定型句を示す定型句情報の音響成分と、当該案内情報のうち前記定型句に挿入される相異なる挿入句を示す複数の挿入句情報から選択された挿入句情報の音響成分とを含む音響であって、前記案内情報を発音した案内音声とともに放音される音響を、収音装置により収音した収音信号から、前記定型句情報と前記挿入句情報とを抽出し、
前記定型句情報が示す前記定型句に前記挿入句情報が示す前記挿入句を挿入した前記案内情報に応じた提示情報を提示部により提示させる
端末装置の動作方法。
【請求項５】
利用者を案内する案内情報のうちの定型句を示す定型句情報の音響成分と、当該案内情報のうち前記定型句に挿入される相異なる挿入句を示す複数の挿入句情報から選択された挿入句情報の音響成分とを含む音響であって、前記案内情報を発音した案内音声とともに放音される音響を、収音装置により収音した収音信号から、前記定型句情報と前記挿入句情報とを抽出する抽出部と、
前記定型句情報が示す前記定型句に前記挿入句情報が示す前記挿入句を挿入した前記案内情報に応じた提示情報を提示部により提示させる制御部と
を具備する端末装置。
【発明の詳細な説明】
【技術分野】
【０００１】
本発明は、利用者に情報を提供する技術に関する。
【背景技術】
【０００２】
電車およびバス等の交通機関または美術館や博物館等の展示施設にて利用者を案内する各種の技術が従来から提案されている。例えば特許文献１には、利用者が携帯する案内専用の再生ユニットに事前に記憶された複数の解説音声のうち、各展示物の近傍の送信手段から送信されたコード情報に対応する解説音声を再生する個人案内システムが開示されている。
【先行技術文献】
【特許文献】
【０００３】
【特許文献１】特開平２−１９０８８８号公報
【発明の概要】
【発明が解決しようとする課題】
【０００４】
例えば電車やバス等の交通機関では、乗降や乗換等を利用者に案内する案内音声が放送される。案内音声の発音内容の文字列や翻訳文等の案内情報を利用者の移動端末に提供できれば、例えば案内音声の聴取が困難な難聴者や案内音声の言語の理解が困難な外国人等の利用者も案内を把握できて便利である。しかし、案内の内容毎に個別に案内情報を用意する構成（例えば電車やバスが停車する地点毎に、当該地点への到着を案内する案内情報を用意する構成）では、多様な案内を利用者に提供するために必要な案内情報のデータ量が大きいという問題がある。以上の事情を考慮して、本発明は、利用者を案内するために必要なデータ量を削減することを目的とする。
【課題を解決するための手段】
【０００５】
以上の課題を解決するために、本発明の第１態様に係るプログラムは、利用者を案内する案内情報のうちの定型句を示す定型句情報の音響成分と、当該案内情報のうち前記定型句に挿入される相異なる挿入句を示す複数の挿入句情報から選択された挿入句情報の音響成分とを含む音響であって、前記案内情報を発音した案内音声とともに放音される音響を、収音装置により収音した収音信号から、前記定型句情報と前記挿入句情報とを抽出する抽出部、および、前記定型句情報が示す定型句に前記挿入句情報が示す挿入句を挿入した前記案内情報に応じた提示情報を提示部により提示させる制御部、としてコンピュータを機能させる。
【０００６】
また、本発明の第２態様に係る端末装置の動作方法は、端末装置が、利用者を案内する案内情報のうちの定型句を示す定型句情報の音響成分と、当該案内情報のうち前記定型句に挿入される相異なる挿入句を示す複数の挿入句情報から選択された挿入句情報の音響成分とを含む音響であって、前記案内情報を発音した案内音声とともに放音される音響を、収音装置により収音した収音信号から、前記定型句情報と前記挿入句情報とを抽出し、前記定型句情報が示す定型句に前記挿入句情報が示す挿入句を挿入した前記案内情報に応じた提示情報を提示部により提示させる。
【０００７】
本発明の第３態様に係る端末装置は、利用者を案内する案内情報のうちの定型句を示す定型句情報の音響成分と、当該案内情報のうち前記定型句に挿入される相異なる挿入句を示す複数の挿入句情報から選択された挿入句情報の音響成分とを含む音響であって、前記案内情報を発音した案内音声とともに放音される音響を、収音装置により収音した収音信号から、前記定型句情報と前記挿入句情報とを抽出する抽出部と、前記定型句情報が示す定型句に前記挿入句情報が示す挿入句を挿入した前記案内情報に応じた提示情報を提示部により提示させる制御部とを具備する。
【０００８】
また、以上の課題を解決するために、本発明の第４態様に係る情報提供装置は、利用者を案内する案内情報のうちの定型句を示す定型句情報と、当該案内情報のうち前記定型句に挿入される相異なる挿入句を示す複数の挿入句情報から選択された挿入句情報とを、前記定型句情報が示す定型句に前記挿入句情報が示す挿入句を挿入した前記案内情報に応じた提示情報を利用者に提示可能な端末装置に対して、近距離無線通信により送信する送信手段を具備する。以上の構成では、案内情報のうち定型句を示す定型句情報と、当該定型句に挿入される相異なる挿入句を示す複数の挿入句情報から選択された挿入句情報とが端末装置に対して近距離無線通信で送信され、当該定型句に当該挿入句を挿入することで案内情報に応じた提示情報が作成されて端末装置の利用者に提示される。すなわち、相異なる挿入句を含む複数の案内情報の提供に１個の定型句が共用される。したがって、挿入句に相当する語句を相違させた複数の案内情報を事前に用意して選択的に利用者に提供する構成と比較して、多様な案内情報を端末装置に提供するために必要なデータ量（ひいては例えば案内に必要な記憶容量）を削減することが可能である。
【０００９】
第４態様に係る情報提供装置の好適例において、前記送信手段は、相異なる複数の定型句から選択された一の定型句を示す定型句情報と、前記複数の定型句の各々に対応する複数の挿入句情報のうち前記一の定型句に対応する複数の挿入句情報から選択された挿入句情報とを、前記端末装置に送信する。以上の態様では、相異なる複数の案内情報の各々について、当該案内情報の定型句と当該定型句に挿入され得る複数の挿入句とが用意され、複数の案内情報から選択された一の案内情報の定型句情報と、当該一の案内情報に対応する複数の挿入句情報から選択された挿入句情報とが、端末装置に送信される。したがって、挿入句だけでなく定型句も相違する複数種の案内情報を端末装置に提供することが可能である。
【００１０】
第４態様に係る情報提供装置の好適例において、前記案内情報を発音した案内音声を示す案内信号と、前記定型句情報および前記挿入句情報を音響成分として含む変調信号とを混合して音響信号を生成する信号生成手段を具備し、前記送信手段は、前記信号生成手段が生成した音響信号に応じて、前記案内音声を含む音響を放音することで、前記定型句情報と前記挿入句情報とを音響通信により前記端末装置に送信する放音手段である。以上の構成では、案内情報の案内音声を示す案内信号と定型句情報および挿入句情報を音響成分として含む変調信号とを混合した音響信号に応じて、案内音声を含む音響の放音と、音響を伝送媒体とする音響通信による定型句情報および挿入句情報の送信とが、放音手段により実行される。したがって、案内情報を発音した案内音声の放音に連動して、当該案内情報を端末装置から利用者に提示することができる。また、案内音声を放音する放音手段が定型句情報および挿入句情報の送信に兼用されるから、定型句情報および挿入句情報の送信に専用される通信機器が不要であるという利点がある。
【００１１】
第４態様に係る情報提供装置の好適例において、前記送信手段は、前記定型句を識別するための第１識別情報を前記定型句情報として送信するとともに、前記挿入句を識別するための第２識別情報を前記挿入句情報として送信する。以上の構成では、定型句を識別するための第１識別情報が定型句情報として送信されるとともに、挿入句を識別するための第２識別情報が挿入句情報として送信される。したがって、定型句自体を表現する定型句情報と挿入句自体を表現する挿入句情報とを端末装置に送信する構成と比較して、情報提供装置から端末装置に送信すべきデータ量が削減される（ひいては通信に必要な時間が短縮される）という利点がある。
【００１２】
第４態様に係る情報提供装置の好適例において、前記送信手段は、前記定型句を示す定型句情報と、当該定型句の相異なる位置に挿入される挿入句を示す複数の挿入句情報とを、前記端末装置に送信する。以上の構成では、定型句情報と複数の挿入句情報とが端末装置に送信されるから、１個の定型句のうちの相異なる位置に複数の挿入句を挿入した多様な案内情報を利用者に提供できるという利点がある。
【００１３】
上記態様の好適例において、前記送信手段は、第１周波数帯域を利用した前記定型句情報の送信と、前記第１周波数帯域とは相違する第２周波数帯域を利用した前記挿入句情報の送信とを並行して実行する。以上の構成では、相異なる周波数帯域を利用して定型句情報と挿入句情報とが相互に並行して送信されるから、例えば定型句情報と挿入句情報とを時分割で送信する構成と比較して、定型句情報および挿入句情報の送信に必要な時間が短縮されるという利点がある。
【００１４】
第４態様に係る情報提供装置の好適例において、前記送信手段は、第１周波数帯域を利用した前記定型句情報の送信に並行して、前記第１周波数帯域とは相違する第２周波数帯域を利用して前記複数の挿入句情報を時分割で送信する。以上の構成では、第２周波数帯域を利用した通信で複数の挿入句情報が時分割で送信されるから、複数の挿入句情報の各々を相異なる周波数帯域により送信する構成と比較して、挿入句情報の送信に必要な周波数帯域が削減されるという利点がある。
【００１５】
第４態様の好適例において、前記送信手段は、前記定型句情報と前記挿入句情報とを、単一の周波数帯域を利用して時分割で送信する。以上の構成では、定型句情報と挿入句情報とが単一の周波数帯域により時分割で送信されるから、定型句情報および挿入句情報の送信に必要な周波数帯域が削減されるという利点がある。
【００１６】
以上の課題を解決するために、本発明の第４態様に係る端末装置は、利用者を案内する案内情報のうちの定型句を示す定型句情報と、当該案内情報のうち前記定型句に挿入される相異なる挿入句を示す複数の挿入句情報から選択された挿入句情報とを、近距離無線通信により送信する情報提供装置から、前記定型句情報と前記挿入句情報とを受信する受信手段と、前記受信手段が受信した前記定型句情報が示す定型句に、前記受信手段が受信した前記挿入句情報が示す挿入句を挿入した前記案内情報に応じた提示情報を生成する情報生成手段と、前記情報生成手段が生成した提示情報を利用者に提示する提示手段とを具備する。以上の構成では、案内情報のうち定型句を示す定型句情報と、当該定型句に挿入される相異なる挿入句を示す複数の挿入句情報から選択された挿入句情報とが端末装置に対して近距離無線通信で送信され、当該定型句に当該挿入句を挿入することで案内情報に応じた提示情報が作成されて端末装置の利用者に提示される。すなわち、相異なる挿入句を含む複数の案内情報の提供に１個の定型句が共用される。したがって、挿入句に相当する語句を相違させた複数の案内情報を事前に用意して選択的に利用者に提供する構成と比較して、多様な案内情報を端末装置に提供するために必要なデータ量（ひいては例えば案内に必要な記憶容量）を削減することが可能である。
【００１７】
以上の各態様に係る端末装置および情報提供装置は、専用の電子回路で実現されるほか、ＣＰＵ（Central Processing Unit）等の汎用の演算処理装置とプログラムとの協働によっても実現される。本発明のプログラムは、コンピュータが読取可能な記録媒体に格納された形態で提供されてコンピュータにインストールされ得る。記録媒体は、例えば非一過性（non-transitory）の記録媒体であり、ＣＤ-ＲＯＭ等の光学式記録媒体（光ディスク）が好例であるが、半導体記録媒体や磁気記録媒体等の公知の任意の形式の記録媒体を包含し得る。なお、例えば、本発明のプログラムは、通信網を介した配信の形態で提供されてコンピュータにインストールされ得る。また、以上の各態様に係る情報提供装置の動作方法（情報提供方法）としても本発明は特定される。
【図面の簡単な説明】
【００１８】
【図１】第１実施形態に係る情報提供システム１の構成図である。
【図２】第１実施形態の情報提供装置１００の構成を示すブロック図である。
【図３】案内情報の説明図である。
【図４】案内情報の選択の説明図である。
【図５】第１実施形態の定型句情報テーブルＴB1のデータ構造の一例を示す図である。
【図６】第１実施形態の挿入句情報テーブルＴB2のデータ構造の一例を示す図である。
【図７】第１実施形態の信号生成部１５０の構成を示すブロック図である。
【図８】第１周波数帯域Ｂ1乃至第３周波数帯域Ｂ3の説明図である。
【図９】第１実施形態の端末装置２００の構成を示すブロック図である。
【図１０】第１実施形態の提示情報生成部２２０の構成を示すブロック図である。
【図１１】第１実施形態の提示情報生成部２２０によって作成される提示情報Ｇの説明図である。
【図１２】第１実施形態の情報提供装置１００で実行される動作のフローチャートである。
【図１３】第１実施形態の端末装置２００で実行される動作のフローチャートである。
【図１４】第２実施形態の信号生成部１５０の構成を示すブロック図である。
【図１５】第１周波数帯域Ｂ1および第２周波数帯域Ｂ2の説明図である。
【図１６】第２実施形態の提示情報生成部２２０の構成を示すブロック図である。
【図１７】配信情報Ｄの説明図である。
【図１８】第３実施形態の定型句情報テーブルＴB1のデータ構造の一例を示す図である
【図１９】第３実施形態の挿入句情報テーブルＴB2のデータ構造の一例を示す図である。
【図２０】案内情報の選択の説明図である。
【図２１】第３実施形態の信号生成部１５０の構成を示すブロック図である
【図２２】配信情報Ｄの送信についての説明図である。
【図２３】第３実施形態の提示情報生成部２２０の構成を示すブロック図である
【図２４】変形例の制御部２２４０の構成を示すブロック図である。
【図２５】変形例の提示情報生成部２２０によって作成される提示情報Ｇの説明図である。
【図２６】変形例の制御部２２４０の構成を示すブロック図である。
【図２７】変形例に係る情報提供システム１の構成図である。
【発明を実施するための形態】
【００１９】
＜第１実施形態＞
図１は、本発明の第１実施形態に係る情報提供システム１の構成図である。第１実施形態の情報提供システム１は、電車やバス等の交通機関の利用者Ｕに情報を提供するコンピュータシステムであり、情報提供装置１００と端末装置２００とを具備する。情報提供装置１００は、交通機関の車輌Ｃ内に設置され、車輌Ｃ内の利用者Ｕに対して交通機関に関する案内用の音声（以下「案内音声」という）を放音する。案内音声は、例えば交通機関の乗降（電車の駅やバスの停留所等の停車地点の名称）や乗車（降車）位置，乗換，運賃，運行状況（例えば停止信号，運行間隔，遅延状況等），周辺の観光地等を案内する音声である。実際には車輌Ｃ内に複数の端末装置２００が存在し得るが、以下の説明では便宜的に任意の１個の端末装置２００に着目する。
【００２０】
端末装置２００は、車輌Ｃ内に位置する利用者Ｕが携行する可搬型の通信端末（例えば携帯電話機やスマートフォン）であり、情報提供装置１００が放音する案内音声を収音するとともに、案内音声が示す案内情報を利用者Ｕに提示する。案内情報は、交通機関の利用者Ｕを案内する情報である。例えば、案内音声を表す文字列（例えば難聴者が視覚的に案内を確認するための文字列），案内音声による案内を他言語に翻訳した音声や文字列が、案内情報として端末装置２００に提供されて再生（放音または表示）される。情報提供システム１の各要素の詳細を以下に説明する。
【００２１】
＜情報提供装置１００＞
図２は、情報提供装置１００の構成を示すブロック図である。図１に例示される通り、情報提供装置１００は、表示装置１２０と操作装置１１０と制御部１４０と記憶部１３０と信号生成部１５０（信号生成手段）と放音装置１６０（送信手段）とを含んで構成される。表示装置１２０（例えば液晶パネル）は、制御部１４０からの指示に応じて文字列や画像等を表示する。操作装置１１０は、交通機関の管理者（例えば車輌Ｃの運転者）ＯPによる操作を受付ける入力装置であり、例えば、表示装置１２０に重ねられたタッチパネルである。管理者ＯPは、操作装置１１０を適宜に操作することで、複数の案内情報のうち任意の案内情報を選択する。
【００２２】
図３は、案内情報の説明図である。案内情報は、図３に例示される通り、定型句と挿入句とを含む。定型句は、複数の案内情報にわたり共通に利用される定型的な文字列（例えば単語や句）である。挿入句は、定型句に挿入される文字列（例えば単語や句）であって、例えば、駅名や路線名等の固有名詞や、乗車（降車）ホームの番号を示す数詞等である。１個の定型句には、相異なる複数の挿入句から選択された挿入句が挿入される。例えば、図３に例示された「次は、渋谷。お出口は左側です。」という案内情報と、別個の駅を案内する「次は、恵比寿。お出口は右側です。」という案内情報とを想定すると、「次は○○。お出口は××です。」という文字列が定型句に相当し、定型句の空欄に挿入される「渋谷」「恵比寿」「左」「右」という文字列が挿入句に相当する。管理者ＯPは、相異なる複数の定型句から１個の定型句を選択するとともに、相異なる複数の挿入句から当該定型句に挿入する挿入句を選択することで１個の案内情報を選択する。以降の説明では、定型句のうち挿入句が挿入されるべき空欄（図３の例では点線の枠で例示される空欄）を「挿入区間ＴS」と表記する。
【００２３】
図４は、案内情報の選択についての説明図である。例えば、管理者ＯPが操作装置１１０を適宜操作することで、図４に例示される案内情報選択画面１１００が表示装置１２０に表示される。案内情報選択画面１１００は、管理者ＯPによる案内情報の選択を受け付ける画面であり、図４に例示される通り、定型句選択フィールド１１０Aと挿入句選択フィールド１１０B，１１０Cと確定ボタン１１０Dと送信ボタン１１０Eとを含む。定型句選択フィールド１１０Aは、管理者ＯPの操作に応じて複数の定型句をプルダウン表示させるとともに管理者ＯPによる一の定型句の選択を受け付ける。挿入句選択フィールド１１０B，１１０Cは、管理者ＯPの操作に応じて複数の挿入句をプルダウン表示させるとともに、当該複数の挿入句から一の挿入句の選択を受け付ける。確定ボタン１１０Dは、選択された定型句および挿入句を送信対象として確定する指示を受け付ける。送信ボタン１１０Eは、送信対象として確定した定型句および挿入句を送信する指示を受け付ける。
【００２４】
管理者ＯPは、案内情報選択画面１１００の定型句選択フィールド１１０Aを操作することで、相異なる複数の定型句から一の定型句を選択するとともに、挿入句選択フィールド１１０B，１１０Cを操作することで、選択した定型句に挿入する１または複数の挿入句を選択する。選択された定型句に、選択された挿入句を挿入することで作成される案内情報に応じた提示情報Ｇが端末装置２００の利用者Ｕに提示される。図４に例示される案内情報選択画面１１００において、管理者ＯPが定型句と挿入句とを選択した状態で、確定ボタン１１０Dを操作すると、当該定型句と当該挿入句とが送信対象として確定する。
【００２５】
図４では、管理者ＯPによって定型句「次は、○○。お出口は××側です。」と、挿入句「渋谷」「左」が選択された場合の案内情報選択画面１１００が例示される。図４から把握される通り、定型句の挿入区間ＴS1に挿入句「渋谷」を挿入するとともに、挿入区間ＴS2に挿入句「左」を各々挿入した案内情報「次は、渋谷。お出口は左側です。」が端末装置２００の利用者Ｕに提示される。図４に例示される通り、第１実施形態では、１個の定型句が複数の挿入区間ＴSを包含し得る。また、定型句の各挿入区間ＴS（ＴS1，ＴS2）には相異なる複数の挿入句が挿入され得る。例えば、図４に例示される通り、挿入区間ＴS1に、挿入句「渋谷」以外の挿入句（例えば、「恵比寿」，「目黒」，「大崎」等）のいずれかを挿入してもよい。また、挿入区間ＴS2には、挿入句「左」以外の挿入句「右」を挿入してもよい。以上の説明から把握される通り、相異なる挿入句を含む複数の案内情報の提供に１個の定型句が共用される。
【００２６】
図２の記憶部１３０は、例えば、半導体記録媒体や磁気記録媒体等の公知の記録媒体で構成され、相異なる案内音声を表す複数の音響信号（以下「案内信号」という）ＡG（ＡG1，ＡG2，……）と、定型句情報テーブルＴB1と挿入句情報テーブルＴB2とを記憶する。
【００２７】
図５は、定型句情報テーブルＴB1のデータ構造の一例を示す図である。定型句情報テーブルＴB1は、複数の定型句の各々と複数の定型句情報ＤAの各々とを相互に対応付ける。定型句情報ＤAは、複数の定型句の各々を一意に識別するための識別情報（101，102，103……）である。
【００２８】
図６は、挿入句情報テーブルＴB2のデータ構造の一例を示す図である。挿入句情報テーブルＴB2（ＴB2-1，ＴB2-2）は、複数の挿入句の各々と複数の挿入句情報ＤBの各々とを相互に対応付ける。挿入句情報ＤBは、複数の挿入句の各々を一意に識別するための識別情報（201，202，203…）である。図６の挿入句情報テーブルＴB2-1は、定型句のうち第１番目の挿入区間ＴS1に挿入される挿入句を含み、挿入句情報テーブルＴB2-2は、定型句のうち第２番目の挿入区間ＴS2に挿入される挿入句を含む。
【００２９】
図２の制御部１４０は、管理者ＯPが選択した案内情報の案内信号ＡGを記憶部１３０から読み出すとともに、定型句情報テーブルＴB1の複数の定型句のうち当該案内情報の定型句に対応する定型句情報ＤAと、挿入句情報テーブルＴB2の複数の挿入句のうち当該案内情報の挿入句に対応する挿入句情報ＤBとを記憶部１３０から読み出し、案内信号ＡGと定型句情報ＤAと挿入句情報ＤBとを信号生成部１５０に供給する。図４の例では、制御部１４０は、定型句「次は、○○。お出口は××側です。」を示す定型句情報ＤA(101)を定型句情報テーブルＴB1から、挿入句「渋谷」を示す挿入句情報ＤB(201)を挿入句情報テーブルＴB2-1から、挿入句「左」を示す挿入句情報ＤB(302)を挿入句情報テーブルＴB2-2から、それぞれ読み出して案内信号ＡGとともに信号生成部１５０に供給する。
【００３０】
信号生成部１５０は、制御部１４０によって読み出された定型句情報ＤAおよび挿入句情報ＤBを表す音響成分を案内信号ＡGに混合した音響信号（以下「再生信号」という）Ｓ1を生成する。案内信号ＡGに対する定型句情報ＤAおよび挿入句情報ＤBの重畳には公知の方法が任意に採用され得るが、例えば国際公開第２０１０／０１６５８９号に開示された方法が好適である。
【００３１】
図７は、信号生成部１５０の構成を示すブロック図である。図７に例示される通り、信号生成部１５０は第１変調処理部１４２２と第２変調処理部１４２４と第３変調処理部１４２６と混合処理部１４２８とを包含する。第１変調処理部１４２２は、拡散符号を利用した定型句情報ＤAの拡散変調と、第１周波数帯域Ｂ1の搬送波を利用した周波数変換とを順次に実行することで、定型句情報ＤAを第１周波数帯域Ｂ1の音響成分として含有する音響信号（以下「第１変調信号」という）ＡD1を生成する。第２変調処理部１４２４は、第１変調処理部１４２２と同様の手法により、挿入句情報テーブルＴB2-1から読み出された挿入句情報ＤBを第２周波数帯域Ｂ2の音響成分として含有する音響信号（以下「第２変調信号」という）ＡD2を生成する。第３変調処理部１４２６は、第１変調処理部１４２２と同様の手法により、挿入句情報テーブルＴB2-2から読み出された挿入句情報ＤBを第３周波数帯域Ｂ3の音響成分として含有する音響信号（以下「第３変調信号」という）ＡD3を生成する。混合処理部１４２８は、制御部１４０から供給された案内信号ＡGと、第１変調処理部１４２２によって生成された第１変調信号ＡD1と第２変調処理部１４２４によって生成された第２変調信号ＡD2と第３変調処理部１４２６によって生成された第３変調信号ＡD3とを混合（典型的には加算）することで再生信号Ｓ1を生成する。すなわち、再生信号Ｓ1は、定型句情報ＤAと挿入句情報ＤBとを示す音響成分を案内音声の音響成分とともに含有する音響信号である。
【００３２】
第１周波数帯域Ｂ1と第２周波数帯域Ｂ2と第３周波数帯域Ｂ3とは、放音装置１６０による放音と端末装置２００による収音とが可能な周波数帯域であり、且つ、利用者Ｕが通常の環境で聴取する音声や楽音等の音響の周波数帯域を上回る周波数帯域に設定される。第１周波数帯域Ｂ1と第２周波数帯域Ｂ2と第３周波数帯域Ｂ3とは互いに相違する。具体的には、図８に例示されるように、第１周波数帯域Ｂ1は、例えば２０ｋＨｚ以上かつ２２ｋＨｚ以下の周波数帯域に設定され、第２周波数帯域Ｂ2は、例えば１８ｋＨｚ以上かつ２０ｋＨｚ以下の周波数帯域に設定され、第３周波数帯域Ｂ3は、例えば１６ｋＨｚ以上かつ１８ｋＨｚ以下の周波数帯域に設定される。
【００３３】
放音装置１６０（例えばスピーカ）は、管理者ＯPによる送信ボタン１１０Eの操作を契機として、信号生成部１５０が生成した再生信号Ｓ1に応じた音響を放音する。すなわち、案内情報を発音した案内音声とともに、当該案内情報の定型句の定型句情報ＤAの音響成分（変調信号ＡD1）と挿入句の挿入句情報ＤBの音響成分（変調信号ＡD2，ＡD3）とが放音装置１６０から放音される。以上の説明から理解される通り、第１実施形態の放音装置１６０は、空気振動たる音響を伝送媒体とする音響通信により、定型句情報ＤAと挿入句情報ＤBとを端末装置２００に送信する送信手段として機能する。図８から理解される通り、第１周波数帯域Ｂ1を利用した定型句情報ＤAの送信と、第２周波数帯域Ｂ2を利用した挿入句情報ＤBの送信と、第３周波数帯域Ｂ3を利用した挿入句情報ＤBの送信とは並行して実行される。なお、図１では１個の放音装置１６０のみが図示されているが、実際には車輌Ｃ内に設置された複数の放音装置１６０の各々から再生信号Ｓ1に応じた音響が並列に放音される。
【００３４】
＜端末装置２００＞
図９は、端末装置２００の構成を示すブロック図である。図９に例示される通り、端末装置２００は、収音装置２１０と提示情報生成部２２０と記憶部２３０と提示部２４０とを具備する。収音装置２１０は、周囲の音響を収音する音響機器（マイクロホン）であり、情報提供装置１００の放音装置１６０から放音された音響を収音し、当該音響の時間波形を表す音響信号（以下「収音信号」という）Ｓ2を生成する。収音信号Ｓ2は、定型句情報ＤAの音響成分と挿入句情報ＤBの音響成分とを含有する。なお、収音装置２１０が生成した収音信号Ｓ2をアナログからデジタルに変換するＡ/Ｄ変換器の図示は便宜的に省略されている。
【００３５】
記憶部２３０には、定型句情報テーブルＴB1と挿入句情報テーブルＴB2（ＴB2-1，ＴB2-2）とが記憶される。端末装置２００の記憶部２３０に記憶される定型句情報テーブルＴB1および挿入句情報テーブルＴB2は、情報提供装置１００の記憶部１３０に記憶される定型句情報テーブルＴB1および挿入句情報テーブルＴB2と同様であるので詳細な説明を省略する。図９では図示を省略しているが、記憶部２３０には、定型句の挿入区間ＴS1に挿入される挿入句を記憶する挿入句情報テーブルＴB2-1と、挿入区間ＴS2に挿入される挿入句を記憶する挿入句情報テーブルＴB2-2とが記憶される。提示情報生成部２２０は、収音装置２１０が生成した収音信号Ｓ2の復調で、管理者ＯPが選択した案内情報に応じた提示情報Ｇを生成する。
【００３６】
図１０は、提示情報生成部２２０の構成を示すブロック図である。図１０に例示される通り、提示情報生成部２２０は、第１抽出部２２１０と第２抽出部２２２０と第３抽出部２２３０と制御部２２４０とを包含する。第１抽出部２２１０は、収音信号Ｓ2のうち定型句情報ＤAを含む第１周波数帯域Ｂ1の帯域成分を帯域通過フィルタで強調し、定型句情報ＤAの拡散変調に利用された拡散符号を係数とする整合フィルタを通過させることで定型句情報ＤAを抽出する。第２抽出部２２２０は、収音信号Ｓ2のうち挿入句情報ＤBを含む第２周波数帯域Ｂ2の帯域成分を帯域通過フィルタで強調し、挿入句情報ＤBの拡散変調に利用された拡散符号を係数とする整合フィルタを通過させることで挿入句情報ＤBを抽出する。第３抽出部２２３０は、収音信号Ｓ2のうち挿入句情報ＤBを含む第３周波数帯域Ｂ3の帯域成分を帯域通過フィルタで強調し、挿入句情報ＤBの拡散変調に利用された拡散符号を係数とする整合フィルタを通過させることで挿入句情報ＤBを抽出する。第１抽出部２２１０乃至第３抽出部２２３０は、以上の手法により抽出した定型句情報ＤAおよび挿入句情報ＤBを制御部２２４０に供給する。
【００３７】
制御部２２４０は、第１抽出部２２１０が抽出した定型句情報ＤAに対応する定型句を定型句情報テーブルＴB1の複数の定型句から読み出し、第２抽出部２２２０が抽出した挿入句情報ＤBに対応する挿入句を挿入句情報テーブルＴB2-1から読み出し、第３抽出部２２３０が抽出した挿入句情報ＤBに対応する挿入句を挿入句情報テーブルＴB2-2から読み出す。すなわち、制御部２２４０によって、管理者ＯPが選択した案内情報の定型句と挿入句とが特定される。制御部２２４０は、記憶部２３０から読み出した定型句の挿入区間ＴS（ＴS1，ＴS2）に挿入句を挿入した案内情報を提示情報Ｇとして生成する。具体的には、図４で例示したように、定型句情報ＤA[101]が示す定型句「次は、○○。お出口は××側です。」の挿入区間ＴS1に挿入句情報ＤB[201]が示す挿入句「渋谷」を挿入するとともに、定型句の挿入区間ＴS2に挿入句情報ＤB[302]が示す挿入句「左」を挿入することで作成した「次は、渋谷。お出口は左側です。」という案内情報を提示情報Ｇとして生成する。以上の説明から理解される通り、第１実施形態の収音装置２１０は、定型句を示す定型句情報ＤAと、当該定型句に挿入される挿入句を示す挿入句情報ＤBとを、音響通信により情報提供装置１００から受信する受信手段として機能する。
【００３８】
図９の提示部２４０は、提示情報生成部２２０が生成した提示情報Ｇを利用者Ｕに提示する。第１実施形態の提示部２４０は、図１１に例示されるように、提示情報Ｇを表示する表示装置である。図１１では、提示情報生成部２２０によって作成された提示情報Ｇ「次は、渋谷。お出口は左側です。」が提示部２４０に提示された例が図示されている。
【００３９】
図１２は、本実施形態の情報提供装置１００の概略的な動作のフローチャートである。例えば、管理者ＯPにより定型句と挿入句とが選択されると、図１２の処理が開始される。制御部１４０は、図４の案内情報選択画面１１００で、管理者ＯPが選択した１個の定型句を示す定型句情報ＤAを記憶部１３０の定型句情報テーブルＴB1から読み出すとともに（SA1）、管理者ＯPが選択した挿入句を示す挿入句情報ＤBを記憶部１３０の挿入句情報テーブルＴB2（ＴB2-1，ＴB2-2）から読み出す（SA2）。制御部１４０は、ステップSA1で読み出した定型句情報ＤAとステップSA2で読み出した挿入句情報ＤBとを案内信号ＡGとともに信号生成部１５０に供給する。信号生成部１５０は、案内信号ＡGと、第１変調信号ＡD1と第２変調信号ＡD2と第３変調信号ＡD3とを混合することで再生信号Ｓ1を生成する。（SA3）。放音装置１６０は、管理者ＯPによる指示に応じて、信号生成部１５０が生成した再生信号Ｓ1に応じた音響を放音する（SA4）。
【００４０】
図１３は、本実施形態の端末装置２００の概略的な動作のフローチャートである。例えば、所定の時間毎に図１３の処理が開始される。端末装置２００の収音装置２１０は、情報提供装置１００の放音装置１６０から放音された音響を収音して収音信号Ｓ2を生成する（SB1）。第１抽出部２２１０は、第１周波数帯域Ｂ1の音響成分として収音信号Ｓ2に含まれる定型句情報ＤAを抽出する（SB2）。第２抽出部２２２０は、第２周波数帯域Ｂ2の音響成分として収音信号Ｓ2に含まれる挿入句情報ＤBを抽出する（SB3）。第３抽出部２２３０は、第３周波数帯域Ｂ3の音響成分として収音信号Ｓ2に含まれる挿入句情報ＤBを抽出する（SB4）。制御部２２４０は、定型句情報ＤAが示す定型句と、挿入句情報ＤBが示す挿入句とを記憶部２３０から読み出して相互に組み合わせた案内情報を提示情報Ｇとして作成する（SB5）。提示部２４０は、提示情報生成部２２０が生成した提示情報Ｇを利用者Ｕに提示する（SB6）。
【００４１】
以上に説明した通り、第１実施形態では、情報提供装置１００から端末装置２００に対して、案内情報の定型句を示す定型句情報ＤAと、当該定型句に挿入される挿入句情報ＤBとが送信され、端末装置２００側で当該定型句に当該挿入句を挿入することで提示情報Ｇが作成される。ここで、挿入句に相当する語句を相違させた複数の案内情報を例えば停車駅毎に予め用意して選択的に利用者Ｕに提供する構成（以下「対比例」という）を想定する。対比例では、「次は、渋谷。お出口は左側です。」という案内情報と「次は、恵比寿。お出口は右側です。」という案内情報とを個別に情報提供装置１００（記憶部１３０）に保持しておく必要がある。他方、第１実施形態によれば、相異なる挿入句を含む複数の案内情報の提供に１個の定型句が共用されるから、対比例と比較して、多様な案内情報を端末装置２００に提供するために必要なデータ量（例えば、情報提供装置１００の記憶部１３０に必要な記憶容量）を削減することが可能である。
【００４２】
また、第１実施形態では、相異なる複数の案内情報にわたり共通に利用される定型句が用意され、複数の定型句のうち一の定型句を示す定型句情報ＤAと、当該一の定型句に対応する挿入句を示す挿入句情報ＤBとが端末装置２００に送信される。以上の構成によれば、挿入句だけでなく定型句も相違する多様な案内情報を端末装置２００に提供することが可能である。
【００４３】
また、第１実施形態では、定型句情報ＤAおよび挿入句情報ＤBの音響成分を案内音声の音響成分とともに含有する再生信号Ｓ1に応じて案内音声を含む音響を放音することで、音響通信により定型句情報ＤAと挿入句情報ＤBとを端末装置２００に送信する。以上の構成では、案内音声の放音に連動して当該案内情報に応じた提示情報Ｇを端末装置２００の利用者Ｕに提示することが可能になる。また、以上の構成では、案内音声を放音する放音装置１６０が定型句情報ＤAおよび挿入句情報ＤBの送信に兼用されるから、定型句情報ＤAおよび挿入句情報ＤBの送信に専用される通信機器が不要である、という利点もある。
【００４４】
第１実施形態では、複数の定型句の各々を一意に識別するための識別情報（101，102，103……）が定型句情報ＤAとして送信されるとともに、複数の挿入句の各々を一意に識別するための識別情報（201，202，203…）が挿入句情報ＤBとして送信される。以上の構成によれば、定型句自体を表現する定型句情報ＤAと挿入句自体を表現する挿入句情報ＤBとを端末装置２００に送信する構成と比較して、情報提供装置１００から端末装置２００に送信すべきデータ量が削減される（ひいては通信に必要な時間が短縮される）という利点がある。
【００４５】
第１実施形態では、第１周波数帯域Ｂ1を利用した定型句情報ＤAの送信に並行して、第２周波数帯域Ｂ2を利用した挿入句情報ＤBの送信を実行する。以上の構成によれば、相異なる周波数帯域を利用して定型句情報ＤAと挿入句情報ＤBとが相互に並行して送信されるから、例えば定型句情報ＤAと挿入句情報ＤBとを時分割で送信する構成と比較して、定型句情報ＤAおよび挿入句情報ＤBの送信に必要な時間が短縮されるという利点がある。
【００４６】
＜第２実施形態＞
第１実施形態では、定型句の相異なる位置に挿入される挿入句を示す複数の挿入句情報ＤBの各々を、相異なる周波数帯域を利用して送信した。第２実施形態では、複数の挿入句情報ＤBを共通の周波数帯域で送信する構成を例示する。第２実施形態では、信号生成部１５０および提示情報生成部２２０の機能および構成が第１実施形態と相違する。なお、以下に例示する各態様において作用や機能が第１実施形態と同様である要素については、第１実施形態の説明で参照した符号を流用して各々の詳細な説明を適宜に省略する。
【００４７】
図１４は、第２実施形態の信号生成部１５０の構成を示すブロック図である。図１４に例示される通り、信号生成部１５０は第１変調処理部１４２２と第２変調処理部１４２４と混合処理部１４２８とを包含する。第１変調処理部１４２２の機能および動作は第１実施形態と同様である。第２変調処理部１４２４は、第１変調処理部１４２２と同様の手法により、挿入句情報テーブルＴB2-1から読み出された挿入句情報ＤBと挿入句情報テーブルＴB2-2から読み出された挿入句情報ＤBとを時間軸上の相異なる区間の音響成分として含有する第２変調信号ＡD2を生成する。
【００４８】
混合処理部１４２８は、制御部１４０から供給された案内信号ＡGと、第１変調処理部１４２２が生成した第１変調信号ＡD1と第２変調処理部１４２４が生成した第２変調信号ＡD2とを混合することで再生信号Ｓ1を生成する。放音装置１６０は、信号生成部１５０が生成した再生信号Ｓ1に応じた音響を放音する。第２実施形態の放音装置１６０は、第１実施形態と同様に、空気振動たる音響を伝送媒体とする音響通信により、定型句情報ＤAと挿入句情報ＤBとを端末装置２００に送信する。図１５から理解される通り、第１周波数帯域Ｂ1を利用した定型句情報ＤAの送信と、第２周波数帯域Ｂ2を利用した挿入句情報ＤBの送信とは並列的に実行される。また、第２実施形態では、定型句の相異なる位置に挿入される複数の挿入句の各々の挿入句情報ＤBが共通の第２周波数帯域Ｂ2を利用して時分割で送信される。具体的には、図１５に例示される通り、第１周波数帯域Ｂ1を利用した定型句情報ＤAの送信に並行して、第２周波数帯域Ｂ2を利用した複数の挿入句情報ＤBの時分割的な送信が実行される。
【００４９】
図１６は、第２実施形態の提示情報生成部２２０の構成を示すブロック図である。第２実施形態の提示情報生成部２２０では、第１実施形態の提示情報生成部２２０から第３抽出部２２３０が省略される。なお、第１抽出部２２１０および制御部２２４０の機能および動作は第１実施形態と同様であるので詳細な説明を省略する。第２抽出部２２２０は、収音信号Ｓ2のうち挿入句情報ＤBを含む第２周波数帯域Ｂ2の帯域成分を帯域通過フィルタで強調し、挿入句情報ＤBの拡散変調に利用された拡散符号を係数とする整合フィルタを通過させることで複数の挿入句情報ＤBを抽出する。図４の例では、第２抽出部２２２０は、第２周波数帯域Ｂ2の音響成分として送信された挿入句情報ＤB[201]と挿入句情報ＤB[302]とを抽出する。以降の処理については第１実施形態と同様である。
【００５０】
第２実施形態においても第１実施形態と同様の効果が実現される。また、第２実施形態では、第１周波数帯域Ｂ1を利用した定型句情報ＤAの送信に並行して、第２周波数帯域Ｂ2を利用して複数の挿入句情報ＤBを時分割で送信する。以上の構成によれば、複数の挿入句情報ＤBの各々を相異なる周波数帯域を利用して送信する第１実施形態の構成と比較して、挿入句情報ＤBの送信に必要な周波数帯域が削減される（図８に例示した第３周波数帯域Ｂ3が不要になる）という利点がある。他方、第１実施形態の構成によれば、第２実施形態の構成と比較して、定型句情報ＤAおよび挿入句情報ＤBの送信に必要な時間が短縮されるという利点がある。
【００５１】
＜第３実施形態＞
第３実施形態では、定型句情報ＤAと挿入句情報ＤBとを含む配信情報Ｄが情報提供装置１００から端末装置２００に送信される。図１７は、配信情報Ｄの説明図である。図１７に例示される通り、配信情報Ｄは所定長（例えば３２ビット）のビット列で表現される。配信情報Ｄは、第１ビット列ＺA（例えば１６ビット）と第２ビット列ＺB（例えば１６ビット）とに区分される。定型句情報ＤAは第１ビット列ＺAで表現され、挿入句情報ＤBは第２ビット列ＺBで表現される。なお、第１ビット列ＺAと第２ビット列ＺBとでビット数を相違させることも可能である。
【００５２】
第２ビット列ＺBは、定型句情報ＤAで指定される１個の定型句の相異なる挿入区間ＴSに対応する複数の単位ビット列ｚB（ｚB1，ｚB2，ｚB3）に区分される。定型句に挿入される１個の挿入句の挿入句情報ＤBが１個の単位ビット列ｚBで表現される。例えば、単位ビット列ｚB1は、定型句の第１番目の挿入区間ＴS1に挿入される挿入句の挿入句情報ＤB1に利用される。同様に、単位ビット列ｚB2は第２番目の挿入区間ＴS2に挿入される挿入句の挿入句情報ＤB2に使用され、単位ビット列ｚB3は第３番目の挿入区間ＴS3に挿入される挿入句の挿入句情報ＤB3に使用される。
【００５３】
第２ビット列ＺBの複数の単位ビット列ｚBの各々はビット数が相違し得る。図１７では、単位ビット列ｚB1が６ビットであり、単位ビット列ｚB2が６ビットであり、単位ビット列ｚB3が４ビットである場合が例示されている。もっとも、各単位ビット列ｚB（ｚB1，ｚB2，ｚB3）のビット数の異同は不問である。
【００５４】
図１８は、第３実施形態の定型句情報テーブルＴB1のデータ構造の一例を示す図である。第１実施形態と同様に、定型句情報テーブルＴB1の各定型句は１以上の挿入区間ＴSを含む。図１８の定型句Ｘ「この電車は〇〇時××分発、△△行です。」に着目すると、定型句Ｘは、複数の挿入区間ＴS（ＴS1,ＴS2,ＴS3）を包含する。
【００５５】
１個の定型句に設定される複数の挿入区間ＴSには、相異なる意味の挿入句が挿入される。図１８の定型句Ｘの挿入区間ＴS1には、「時間（hour）」を示す数詞（例えば「０」〜「２３」）が挿入句として挿入される。挿入区間ＴS2には「分（minute）」を示す数詞（例えば「０」〜「５９」）が挿入句として挿入される。挿入区間ＴS3には駅名を示す固有名詞が挿入句として挿入される。複数の定型句の各々には、１６ビットの第１ビット列ＺAで表現される識別情報（ＩＤ）が定型句情報ＤAとして一意に付与される。
【００５６】
図１９は、第３実施形態の挿入句情報テーブルＴB2（ＴB2-1，ＴB2-2，ＴB2-3）のデータ構造の一例を示す図である。挿入句情報テーブルＴB2-1は、挿入区間ＴS1に挿入される複数の挿入句と各挿入句の挿入句情報ＤB1（識別情報）とを相互に対応付ける。挿入句情報テーブルＴB2-1に登録される複数の挿入句は、「時間（hour）」を意味する「０」〜「２３」の数詞である。各挿入句の挿入句情報ＤB1は、配信情報Ｄに単位ビット列ｚB1として確保された６ビットで表現される。
【００５７】
挿入句情報テーブルＴB2-2は、挿入区間ＴS2に挿入される複数の挿入句と各挿入句の挿入句情報ＤB2（識別情報）とを相互に対応付ける。挿入句情報テーブルＴB2-2に登録される複数の挿入句は、「分（minute）」を意味する「０」〜「５９」の数詞である。各挿入句の挿入句情報ＤB2は、配信情報Ｄに単位ビット列ｚB2として確保された６ビットで表現される。
【００５８】
挿入句情報テーブルＴB2-3は、挿入区間ＴS3に挿入される駅名の複数の挿入句（「新宿」「代々木」等）と各挿入句の挿入句情報ＤB3とを相互に対応付ける。各挿入句の挿入句情報ＤB3は、配信情報Ｄに単位ビット列ｚB3として確保された４ビットで表現される。
【００５９】
図２０は、第３実施形態における案内情報選択画面１１００の表示例である。第１実施形態と同様に、管理者ＯPは、案内情報選択画面１１００の定型句選択フィールド１１０Aに対する操作で定型句を選択するとともに、複数の挿入句選択フィールド１１２の各々に対する操作により、当該定型句に挿入される挿入句を選択する。図２０では、管理者ＯPが定型句Ｘ「この電車は〇〇時××分発、△△行です。」と挿入句「２２」「３」「渋谷」とを選択した場合の案内情報選択画面１１００が例示される。
【００６０】
情報提供装置１００の制御部１４０は、管理者ＯPが選択した定型句Ｘ「この電車は〇〇時××分発、△△行です。」を示す定型句情報ＤA[0000 0000 0000 0000]を定型句情報テーブルＴB1から読み出す。同様に、制御部１４０は、挿入句「２２」を示す挿入句情報ＤB1[010110]と、挿入句「３」を示す挿入句情報ＤB2[000011]と、挿入句「渋谷」を示す挿入句情報ＤB3[0011]とを挿入句情報テーブルＴB2（ＴB2-1,ＴB2-2,ＴB2-3）から読み出す。制御部１４０によって読み出された定型句情報ＤAと挿入句情報ＤB1と挿入句情報ＤB2と挿入句情報ＤB3とを配列した配信情報Ｄは信号生成部１５０に供給される。
【００６１】
図２１は、第３実施形態の信号生成部１５０の構成を示すブロック図である。図２１に例示される通り、信号生成部１５０は第１変調処理部１４２２と混合処理部１４２８とを包含する。第１変調処理部１４２２は、第１実施形態と同様の手法により、配信情報Ｄを第１周波数帯域Ｂ1の音響成分として含有する変調信号ＡDを生成する。
【００６２】
混合処理部１４２８は、制御部１４０から供給された案内信号ＡGと第１変調処理部１４２２によって生成された第１変調信号ＡDとを混合することで再生信号Ｓ1を生成する。放音装置１６０は、第１実施形態と同様に、信号生成部１５０が生成した再生信号Ｓ1に応じた音響を放音する。図２２に例示される通り、第１ビット列ＺAで表現される定型句情報ＤA[0000 0000 0000 0000]と、単位ビット列zB1で表現される挿入句情報ＤB1[010110]と、単位ビット列zB2で表現される挿入句情報ＤB2[000011]と、単位ビット列zB3で表現される挿入句情報ＤB3[0011]とが、第１周波数帯域Ｂ1を利用して時分割で端末装置２００に送信される。
【００６３】
図２３は、第３実施形態の端末装置２００における提示情報生成部２２０の構成を示すブロック図である。端末装置２００の記憶部２３０に記憶される定型句情報テーブルＴB1および挿入句情報テーブルＴB2（ＴB2-1，ＴB2-2，ＴB2-3）は、情報提供装置１００の記憶部１３０に記憶される定型句情報テーブルＴB1および挿入句情報テーブルＴB2と同様である。図２３に例示される通り、提示情報生成部２２０は、第１抽出部２２１０と制御部２２４０とを包含する。第１抽出部２２１０は、第１実施形態と同様に、収音装置２１０が生成した収音信号Ｓ2の復調で配信情報Ｄ（ＤA，ＤB1，ＤB2，ＤB3）を抽出する。制御部２２４０は、第１抽出部２２１０が抽出した定型句情報ＤAに対応する定型句を定型句情報テーブルＴB1から読み出して提示部２４０に供給する。同様に、制御部２２４０は、挿入句情報ＤB（ＤB1,ＤB2,ＤB3）に対応する挿入句を挿入句情報テーブルＴB2(ＴB2-1,ＴB2-2,ＴB2-3)から読み出して提示部２４０に供給する。端末装置２００の提示部２４０は、第１実施形態と同様に、定型句の各挿入区間ＴSに挿入句を挿入した案内情報を提示する。
【００６４】
第３実施形態によっても第１実施形態と同様の効果が実現される。また、第３実施形態では、定型句情報ＤAと各挿入句情報ＤB（ＤB1，ＤB2，ＤB3）とが時分割で情報提供装置１００から端末装置２００に送信されるから、複数の周波数帯域（Ｂ1〜Ｂ3）を利用する第１実施形態と比較して、定型句情報ＤAおよび挿入句情報ＤBの送信に必要な周波数帯域が削減されるという利点がある。
【００６５】
＜変形例＞
以上に例示した各態様は多様に変形され得る。具体的な変形の態様を以下に例示する。以下の例示から任意に選択された２個以上の態様は、相互に矛盾しない範囲で適宜に併合され得る。
【００６６】
（１）前述の各形態では、複数の定型句の各々を一意に識別するための識別情報が定型句情報ＤAとして送信されるとともに、複数の挿入句の各々を一意に識別するための識別情報が挿入句情報ＤBとして送信される構成を例示した。以上の例示以外に、定型句自体を表現する定型句情報ＤAと、挿入句自体を表現する挿入句情報ＤBとを端末装置２００に送信してもよい。定型句自体を表現する定型句情報ＤAと挿入句自体を表現する挿入句情報ＤBとを送信する構成によれば、複数の定型句（例えば定型句情報テーブルＴB1）と複数の挿入句（挿入句情報テーブルＴB2）とを端末装置２００に保持する必要がないから、端末装置２００で提示情報Ｇを作成するために保持すべきデータ量（記憶部２３０に必要な記憶容量）が削減されるという利点がある。また、定型句の識別情報を表現する定型句情報ＤAと挿入句自体を表現する挿入句情報ＤBとを端末装置２００に送信してもよい。挿入句が、定型句と比較して充分に短い文字列（駅名や数詞等）で構成される場合には、送信すべき情報量を、挿入句の識別情報を端末装置２００に送信する構成と同程度に抑えることが可能である。以上の説明から理解される通り、「定型句を示す定型句情報」は、定型句自体を表現する情報と定型句の識別情報を表現する情報との双方を包含する。同様に、「挿入句を示す挿入句情報」は、挿入句自体を表現する情報と挿入句の識別情報を表現する情報との双方を包含する。
【００６７】
（２）前述の各形態では、音響を伝送媒体とする音響通信で定型句情報ＤAと挿入句情報ＤBとを端末装置２００に送信したが、定型句情報ＤAと挿入句情報ＤBとを送信するための通信方式は音響通信に限定されない。例えば、電波や赤外線等の電磁波を伝送媒体とした無線通信で情報提供装置１００から端末装置２００に定型句情報ＤAと挿入句情報ＤBとを送信することも可能である。以上の例示から理解される通り、音響を伝送媒体とする音響通信や電磁波を伝送媒体とする無線通信は近距離無線通信の例示である。
【００６８】
前述の各形態では、近距離無線通信（通信網が介在しない無線通信）を利用して定型句情報ＤAと挿入句情報ＤBとを情報提供装置１００から端末装置２００に送信した。以上の例示以外に、送信対象として事前に登録された端末装置２００に対し、移動体通信網やインターネット等の通信網を介して、情報提供装置１００から定型句情報ＤAと挿入句情報ＤBとを送信（プッシュ配信）することも可能である。
【００６９】
（３）前述の各形態では、定型句に挿入句を挿入した案内情報を提示情報Ｇとして例示したが、提示情報Ｇの内容は以上の例示に限定されない。
【００７０】
例えば、図２４に例示された制御部２２４０は翻訳処理部２２４２を包含する。翻訳処理部２２４２は、定型句と挿入句とを組合せた案内情報を他言語に翻訳（機械翻訳）した翻訳文を提示情報Ｇ1として生成する。図２５に例示される通り、提示部２４０は、翻訳処理部２２４２により翻訳された案内情報の文字列を提示情報Ｇ1として表示する。したがって、案内音声の言語の理解が困難な利用者（例えば外国人）が案内音声の内容を把握できるという利点がある。他方、図２６に例示された制御部２２４０は音声合成部２２４４を包含する。音声合成部２２４４は、定型句と挿入句とを組合せた案内音声を発音した案内音声を例えば素片接続型の音声合成により提示情報Ｇ2として生成する。図２５に例示される通り、提示部２４０は、音声合成部２２４４により合成された案内音声を提示情報Ｇ2として放音する。したがって、案内音声の聴取が困難な利用者（例えば聴覚障碍者）が案内音声の内容を把握できるという利点がある。なお、図２４の翻訳処理部２２４２と図２６の音声合成部２２４４との双方を具備する構成によれば、案内情報の翻訳文を発音した案内音声を提示部２４０が放音することも可能である。以上の説明から判る通り、「提示」とは、提示情報Ｇ（または提示情報Ｇ1）を視覚的に利用者に提示する態様と、提示情報Ｇ2に応じた音響信号を放音することで聴覚的に利用者に提示する態様との双方を含む。
【００７１】
（４）前述の各形態では、定型句に複数の挿入句が挿入された提示情報Ｇを例示したが、１個の定型句に１個の挿入句が挿入された提示情報Ｇが提示される構成としてもよい。例えば、図５の定型句情報テーブルＴB1のうち、定型句情報ＤA[104]で例示される定型句「停止信号です。○○駅の電車が発車次第、出発致します。」では、１個の挿入句が挿入される。例えば、当該定型句に対応する定型句情報ＤAと、当該挿入句に対応する挿入句情報ＤBと、案内信号ＡGとに加えて、挿入句が１個である旨を示す情報（例えばＮullコード等）を、制御部１４０から信号生成部１５０に対して供給し、当該情報を包含する再生信号Ｓ1を生成してもよい。
【００７２】
（５）前述の各形態では、定型句情報テーブルＴB1と挿入句情報テーブルＴB2とを情報提供装置１００の記憶部１３０に記憶したが、情報提供装置１００の外部の記憶部に定型句情報テーブルＴB1や挿入句情報テーブルＴB2（さらには案内信号ＡG）を記憶することも可能である。すなわち、記憶部１３０は情報提供装置１００の必須の要素ではない。例えば、図２７には、情報提供装置１００とは別個の情報管理サーバー５００の記憶部５３０に、定型句情報テーブルＴB1および挿入句情報テーブルＴB2を記憶した構成が例示されている。情報提供装置１００は、通信網（移動通信網やインターネット）４００を介して情報管理サーバー５００と通信可能な通信装置１７０を具備する。制御部１４０は、通信装置１７０と情報管理サーバー５００との間の通信により記憶部５３０内の定型句情報ＤAと挿入句情報ＤBと案内信号ＡGとを受信する。
【００７３】
また、前述の各形態では、定型句情報テーブルＴB1と挿入句情報テーブルＴB2とを端末装置２００の記憶部２３０に格納したが、図２７の例示と同様に、端末装置２００の外部の記憶部（いわゆるクラウドストレージ）に記憶された定型句情報テーブルＴB1や挿入句情報テーブルＴB2を端末装置２００が利用することも可能である。すなわち、前述の各形態で例示した記憶部２３０は端末装置２００に必須の要素ではない。また、定型句情報テーブルＴB1と挿入句情報テーブルＴB2とを記憶する外部の記憶部５３０（情報管理サーバー５００）を情報提供装置１００と端末装置２００とで共用することも可能である。
【００７４】
（６）第３実施形態では、相異なる意味の挿入句として「時間(hour)」「分(minute)」「駅名」を例示したが、以上の例示以外にも路線名、航空会社名、搭乗ゲート（番号）、乗降車ホーム（番号）等が挿入句として例示され得る。また、１個の定型句の相異なる挿入区間ＴSに、同種の複数の挿入句が挿入される構成（例えば、発車駅の「駅名」と到着駅の「駅名」とが挿入される構成）も採用され得る。なお、第３実施形態では、１個の定型句に３個の挿入区間ＴS（ＴS1,ＴS2,ＴS3）が設定される構成を例示したが、挿入区間の個数は以上の例示に限定されない。
【００７５】
（７）第３実施形態では、図２２で例示した通り、定型句情報ＤAと複数の挿入句情報ＤB（ＤB1，ＤB2，ＤB3）とを含む一連のビット列（３２ビット）を配信情報Ｄとして情報提供装置１００から端末装置２００に送信したが、定型句情報ＤAと挿入句情報ＤBとを別個のビット列として１個の第１周波数帯域Ｂ1により時分割で送信することも可能である。すなわち、定型句情報ＤAと挿入句情報ＤBとが相互に間隔をあけて順次に送信される。
【００７６】
１００……情報提供装置、１１０……操作装置、１１０A……定型句選択フィールド、１１０B……挿入句選択フィールド、１１０C……挿入句選択フィールド、１１０D……確定ボタン、１１０E……送信ボタン、１１２……挿入句選択フィールド、１２０……表示装置、１３０……記憶部、１４０……制御部、１５０……信号生成部、１６０……放音装置、１７０……通信装置、１１００……案内情報選択画面、１４２２……第１変調処理部、１４２４……第２変調処理部、１４２６……第３変調処理部、１４２８……混合処理部、２００……端末装置、２１０……収音装置、２２０……提示情報生成部、２３０……記憶部、２４０……提示部、２２１０……第１抽出部、２２２０……第２抽出部、２２３０……第３抽出部、２２４０……制御部、２２４２……翻訳処理部、２２４４……音声合成部、４００……通信網、５００……情報管理サーバー、Ｇ……提示情報、ＴB1……定型句情報テーブル、ＴB2……挿入句情報テーブル。
【図１】
2020144372.tif 000003
【図２】
2020144372.tif 000004
【図３】
2020144372.tif 000005
【図４】
2020144372.tif 000006
【図５】
2020144372.tif 000007
【図６】
2020144372.tif 000008
【図７】
2020144372.tif 000009
【図８】
2020144372.tif 000010
【図９】
2020144372.tif 000011
【図１０】
2020144372.tif 000012
【図１１】
2020144372.tif 000013
【図１２】
2020144372.tif 000014
【図１３】
2020144372.tif 000015
【図１４】
2020144372.tif 000016
【図１５】
2020144372.tif 000017
【図１６】
2020144372.tif 000018
【図１７】
2020144372.tif 000019
【図１８】
2020144372.tif 000020
【図１９】
2020144372.tif 000021
【図２０】
2020144372.tif 000022
【図２１】
2020144372.tif 000023
【図２２】
2020144372.tif 000024
【図２３】
2020144372.tif 000025
【図２４】
2020144372.tif 000026
【図２５】
2020144372.tif 000027
【図２６】
2020144372.tif 000028
【図２７】
2020144372.tif 000029